(57)【要約】【課題】デリケート衣類の洗浄性を向上させ、洗いムラを低減する洗濯機を提供すること。【解決手段】デリケート衣類洗い専用の仕切り体２０は、その上面にデリケート衣類を載置して洗濯するデリケートコースにおいて、内槽４底面部から攪拌用突出部１３までの高さの１．５〜２．０倍の高さに設置するとともに、制御手段２５は、前記デリケートコースの給水行程において、内槽４底面部から攪拌用突出部１３までの高さの１〜１．５倍の高さの水位に給水して、所定時間だけモータ９を所定のオン−オフ反転時限で駆動して攪拌翼６を左右回転させた後、所定水位まで給水して洗い、すすぎ、脱水行程を運転する構成とすることにより、洗濯液を垂直方向へ掻き上げる水流を起こすことができるので、仕切り体２０の上面に載置しているデリケートな衣類に対する洗浄効果を向上させ、衣類の載置状態に影響されず洗いムラを低減することができる。【選択図】図１
2017012703.tif 000002
【特許請求の範囲】
【請求項１】
筐体内部に防振支持され、内槽を回転自在に内包する外槽と、前記内槽の中央底部に回転自在に配設された攪拌翼と、前記内槽および前記攪拌翼を回転駆動するモータと、前記攪拌翼の表面に放射状に形成された複数の攪拌用突出部および裏面に形成された複数の裏羽根と、前記内槽の側壁に配設され、底部に入水口を形成し上部に散水口を形成した循環水路と、前記内槽へ給水する給水弁と、前記内槽内の水位を検知する水位検知手段と、運転コースなどを設定するための入力設定手段および設定した内容の表示などを行なう表示手段で構成された操作表示部と、前記内槽内で前記攪拌翼の上方に設置可能なデリケート衣類洗い専用の仕切り体と、前記モータ、給水弁などの動作を制御し、洗い、すすぎ、脱水の各行程を逐次制御する制御手段とを備え、前記仕切り体は、その上面にデリケート衣類を載置して洗濯するデリケートコースにおいて、前記内槽底面部から前記攪拌用突出部までの高さの１．５〜２．０倍の高さに設置するとともに、前記制御手段は、前記デリケートコースの給水行程において、前記内槽底面部から前記攪拌用突出部までの高さの１〜１．５倍の高さの水位に給水して、所定時間だけ前記モータを所定のオン−オフ反転時限で駆動して前記攪拌翼を左右回転させた後、所定水位まで給水して洗い、すすぎ、脱水行程を運転する洗濯機。
【発明の詳細な説明】
【技術分野】
【０００１】
本発明は、洗い、すすぎ、脱水行程を自動制御して行なう洗濯機に関するものである。
【背景技術】
【０００２】
従来、この種の洗濯機は、洗濯兼脱水槽内で衣類攪拌用の攪拌翼にて一般的な洗濯物を攪拌洗浄する以外に、生地がデリケートな洗濯物に攪拌翼を直接接触させずに洗浄するための専用ネットを搭載する構成が提案されている（例えば、特許文献１参照）。
【０００３】
図５は、特許文献１に記載された従来の洗濯機の縦断面図である。
【０００４】
図５において、ネット５２は、洗濯兼脱水槽４１の側壁の曲面に合わせた４つのコーナーを有する略四角形の平面状の網体５３に縦方向が長辺の長方形の断面のリング５４を設けており、リング５４は、弾性を有するバネ材を使用し、ネット５２はこのリング５４のバネ力で形状を保つようになっている。ネット５２のコーナー部が洗濯兼脱水槽４１内壁の段部５５に乗っており、攪拌翼４２を覆うように取着し、ネット５２上の衣類５６により押さえられている。
【０００５】
以上の構成にて、洗濯時には衣類５６はネット５２の上に乗せられており、直接衣類５６と攪拌翼４２は接触しない。攪拌翼４２の回転により、矢印で示すような水流５７が発生し、この水流の力と攪拌翼４２のポンプ作用による循環水路４９上方の散水口５１からの吐出水によって衣類５６は洗浄される。この洗浄方法により、デリケートな衣類を洗浄しつつ、型くずれ、傷みを防止するようになっている。
【先行技術文献】
【特許文献】
【０００６】
【特許文献１】特開平８−２１５４６９号公報
【発明の概要】
【発明が解決しようとする課題】
【０００７】
しかしながら、前記従来の構成では、専用ネットの上面に接しているデリケートな衣類は、上方の散水口から吐出する洗濯液が衣類全体には直接当たりにくく、また、衣類より上部に水位を設定して衣類内部を洗濯液が通過する水流のみでは、衣類の汚れを衣類表面から引き離すためのエネルギーが不十分であり、デリケート衣類への洗浄効果が向上できず、衣類の載置状況によっては洗浄効果にムラが発生してしまうという課題があった。
【０００８】
本発明は、上記従来の課題を解決するもので、洗い行程の前に、専用ネット（仕切り体）より下方の水位で攪拌翼を駆動させて、洗濯液を垂直方向へ掻き上げる水流を起こす行程を設けることで、仕切り体の上面に接しているデリケートな衣類に対する洗浄効果を向上させ、衣類の載置状態に影響されず洗いムラを低減する洗濯機を提供することを目的としている。
【課題を解決するための手段】
【０００９】
前記従来の課題を解決するために、本発明の洗濯機は、筐体内部に防振支持され、内槽を回転自在に内包する外槽と、前記内槽の中央底部に回転自在に配設された攪拌翼と、前記内槽および前記攪拌翼を回転駆動するモータと、前記攪拌翼の表面に放射状に形成された複数の攪拌用突出部および裏面に形成された複数の裏羽根と、前記内槽の側壁に配設され、底部に入水口を形成し上部に散水口を形成した循環水路と、前記内槽へ給水する給水
弁と、前記内槽内の水位を検知する水位検知手段と、運転コースなどを設定するための入力設定手段および設定した内容の表示などを行なう表示手段で構成された操作表示部と、前記内槽内で前記攪拌翼の上方に設置可能なデリケート衣類洗い専用の仕切り体と、前記モータ、給水弁などの動作を制御し、洗い、すすぎ、脱水の各行程を逐次制御する制御手段とを備え、前記仕切り体は、その上面にデリケート衣類を載置して洗濯するデリケートコースにおいて、前記内槽底面部から前記攪拌用突出部までの高さの１．５〜２．０倍の高さに設置するとともに、前記制御手段は、前記デリケートコースの給水行程において、前記内槽底面部から前記攪拌用突出部までの高さの１〜１．５倍の高さの水位に給水して、所定時間だけ前記モータを所定のオン−オフ反転時限で駆動して前記攪拌翼を左右回転させた後、所定水位まで給水して洗い、すすぎ、脱水行程を運転する構成としたものである。
【００１０】
これによって、洗濯液を垂直方向へ掻き上げる水流を起こすことができるので、仕切り体の上面に載置しているデリケートな衣類に対する洗浄効果を向上させ、衣類の載置状態に影響されず洗いムラを低減することができる。
【発明の効果】
【００１１】
本発明の洗濯機は、仕切り体に載置されたデリケートな衣類に対する洗浄効果を向上させ、洗いムラを低減することができる。
【図面の簡単な説明】
【００１２】
【図１】本発明の実施の形態における洗濯機の縦断面図および制御装置構成図
【図２】同洗濯機の仕切り体の平面図
【図３】同洗濯機のデリケートコースのシーケンス図
【図４】（ａ）同洗濯機の攪拌翼と仕切り体の高さ関係を表す図（ｂ）同洗濯機の攪拌翼が左回転した時の状態図（ｃ）同洗濯機の攪拌翼が右回転した時の状態図
【図５】従来の洗濯機の縦断面図
【発明を実施するための形態】
【００１３】
第１の発明は、筐体内部に防振支持され、内槽を回転自在に内包する外槽と、前記内槽の中央底部に回転自在に配設された攪拌翼と、前記内槽および前記攪拌翼を回転駆動するモータと、前記攪拌翼の表面に放射状に形成された複数の攪拌用突出部および裏面に形成された複数の裏羽根と、前記内槽の側壁に配設され、底部に入水口を形成し上部に散水口を形成した循環水路と、前記内槽へ給水する給水弁と、前記内槽内の水位を検知する水位検知手段と、運転コースなどを設定するための入力設定手段および設定した内容の表示などを行なう表示手段で構成された操作表示部と、前記内槽内で前記攪拌翼の上方に設置可能なデリケート衣類洗い専用の仕切り体と、前記モータ、給水弁などの動作を制御し、洗い、すすぎ、脱水の各行程を逐次制御する制御手段とを備え、前記仕切り体は、その上面にデリケート衣類を載置して洗濯するデリケートコースにおいて、前記内槽底面部から前記攪拌用突出部までの高さの１．５〜２．０倍の高さに設置するとともに、前記制御手段は、前記デリケートコースの給水行程において、前記内槽底面部から前記攪拌用突出部までの高さの１〜１．５倍の高さの水位に給水して、所定時間だけ前記モータを所定のオン−オフ反転時限で駆動して前記攪拌翼を左右回転させた後、所定水位まで給水して洗い、すすぎ、脱水行程を運転する構成とすることにより、洗濯液を垂直方向へ掻き上げる水流を起こすことができるので、仕切り体の上面に載置しているデリケートな衣類に対する洗浄効果を向上させ、衣類の載置状態に影響されず洗いムラを低減することができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における洗濯機の縦断面図および制御装置構成図、図２は、同洗濯機の仕切り体の平面図である。
【００１６】
図１、図２において、筐体１は、内部に複数のサスペンション２によって弾性的に吊り下げた外槽３を設け、脱水時の振動をサスペンション２によって吸収する構成としている。
【００１７】
外槽３の内部には、衣類を収容する内槽４を中空で２重構造とした洗濯・脱水軸５を中心に回転可能に配設し、内槽４の内底部に衣類を攪拌する攪拌翼６を回転自在に配設している。また、内槽４の内部周壁には、脱水時の水抜き穴の役割を果たす通気孔７を多数設けるとともに、上方には振動低減用の流体バランサ８を設けている。
【００１８】
モータ（駆動手段）９は、外槽３の外底部に取り付けられた金属板１０に配設され、洗濯または脱水時にモータ９の回転力を、Ｖベルト１１を介して伝達し、クラッチ１２によって洗濯・脱水軸５の連結部を内槽４または攪拌翼６に切り替えて動作させている。
【００１９】
攪拌翼６は、表面側に複数の攪拌用突出部１３を放射状に形成し、裏面側に複数の裏羽根２６を放射状に形成し、洗濯物が攪拌用突出部１３による攪拌により、左右（回転方向）に入れ替わるという動きをするとともに、裏羽根２６が回転することにより、洗濯液を入水口２７から内槽４側壁に水密的に設けられた循環水路２８内に導入し、上方の散水口２９から内槽４内に散水するように構成されている。
【００２０】
筐体１の上部は、略中央部に衣類投入口１４を有する上部枠体１５が装着されており、衣類投入口１４を覆うように外蓋１６が開閉自在に設けられている。また、上部枠体１５後部内方には、給水弁１７などを装着した支持部材１８が設けられている。
【００２１】
給水弁１７は、２個以上の水路が開閉可能な複数弁構成とし、水路は給水ホース１９にて、支持部材１８に設けた注水部材（図示せず）等を介して内槽４に洗濯水として給水可能に接続されている。
【００２２】
外槽３の外底部には排水弁３１が設けられ、その開閉により外槽３内の水を、排水ホース３０を通して機外へ排出できるようになっている。
【００２３】
デリケートな衣類を洗うための専用部材である仕切り体２０は、デリケートな衣類を洗う時に、攪拌翼６の上方部に攪拌翼６を覆うように内槽４に着脱自在に設置することができるようになっている。仕切り体２０は、外周部２０ａを剛性体とし、内面部２０ｂを網体として一体に構成するとともに、上面側の中央部に２つ折りを可能にする回転軸２０ｃを設けている。
【００２４】
制御装置２１は、一体集中的に形成するとともに、上部枠体１５の前方内部に配設している。そして、上部枠体１５の前面部には、一般的な衣類を洗うための標準コースやデリケートな衣類を洗うためのデリケートコースほかの運転コースなどを設定するための入力設定手段２２と、設定した内容の表示などを行なう表示手段２３とで構成される操作表示部２４が設けられている。
【００２５】
制御装置２１は、制御手段２５により、操作表示部２４からの入力や水位検知手段３２で検知した水位データなどをもとに、モータ９、クラッチ１２、排水弁３１、給水弁１７などの動作を制御し、給水行程（図３参照）、洗い、すすぎ、脱水の各行程を制御する。
【００２６】
以上のように構成した洗濯機について、以下、その動作、作用を説明する。
【００２７】
図３は、本発明の実施の形態における洗濯機のデリケートな衣類を洗うためのデリケートコースのシーケンス、図４（ａ）は、同洗濯機の攪拌翼と仕切り体の高さ関係を表す図、図４（ｂ）は、同洗濯機の攪拌翼が左回転した時の状態図、図４（ｃ）は、同洗濯機の攪拌翼が右回転した時の状態図を示すものである。
【００２８】
図３および図４（ａ）、（ｂ）、（ｃ）において、デリケートな衣類を洗うためには、外蓋１６を開けて内槽４内に設置した仕切り体２０の上面に衣類をセットし、所定量の洗剤を投入した後、操作表示部２４の入力設定手段２２にてデリケートコースを選択し、運転を開始する。
【００２９】
運転を開始させると、まず、給水行程において、給水弁１７から内槽４内の、図４（ａ）に示す内槽４底面部Ａ面からの所定の水位ｂまで給水がなされる。
【００３０】
この水位ｂは、内槽４底面部Ａ面から攪拌翼６表面に放射状に複数形成された攪拌用突出部１３の天面部までの高さである高さａの１〜１．５倍の高さに設定してある。
【００３１】
なお、デリケートな衣類をセットする仕切り体２０の内槽４底面部Ａ面からの設置高さｃは、上記攪拌翼６の攪拌用突出部１３の天面部の高さである高さａの１．５〜２．０倍の高さに設定してある。
【００３２】
この内槽４底面部からの水位ｂの設定および仕切り体２０の設置高さの設定は、後述する攪拌翼６の回転による垂直方向への水の掻き上げを効果的に行なうための設定である。
【００３３】
例えば、上記設定以上に水位を高く設定すると、攪拌翼６の回転により発生する水流が弱くなり、洗濯液の掻き上げが十分に行なわれなくなる。
【００３４】
給水行程において、水位ｂまで給水されると、モータ９が駆動して攪拌翼６が左右に回転し、所定時間攪拌を行なう。
【００３５】
この時のモータ通電時間（以下、オン時間）は０．５秒間であり、これにより図４（ｂ）に示すように、洗濯液は攪拌用突出部１３によって押され、洗濯液全体に攪拌翼６の回転方向（図４（ｂ）では左回転方向）と同方向の水流が発生する。０．５秒間のオン時間の後には、モータ９への通電が切れ、次の通電までの時間（以下、オフ時間）があり、これを０．８秒間とする。なお、このオフ時間は直前のＯＮ時間の長さに応じて予め設定されている。０．８秒のオフ時間の間、洗濯液はオン時間で発生した水流が弱まるものの残留している状態である。
【００３６】
この状態で、上記回転とは逆の右回転方向に、上記と同じ方法で攪拌翼６を回転させると、図４（ｃ）に示すように、前回のオン時間で発生した洗濯液の水流と、今回の反転のオン時間で発生した前記水流とは逆方向の水流が衝突し、その衝突した洗濯液の水流は洗濯液水位面と仕切り体２０の空間に逃げるため、結果として攪拌翼６の回転面に対して垂直方向に洗濯液が掻き上げられることとなる。
【００３７】
そして、この掻き上げられた洗濯液は、仕切り体２０の網体である内面部２０ｂを通過して、仕切り体２０の上面に載置されている衣類の裏面に当たり、その衝突エネルギーで衣類の表面から汚れを取り除いていく。なお、衣類の表面から汚れを取り除くための洗濯液の衝突エネルギーは、洗濯液水位面と仕切り体２０の距離が近いほど、また、攪拌翼６を回転させるためのオン時間に対してオフ時間が短いほど増加する。
【００３８】
次に、所定の攪拌時間が終わりモータ９の回転が止まると、再び給水弁１７が駆動して、内槽４内への給水が始まる。この時の所定水位は、仕切り体２０上にセットされたデリケート衣類よりもわずかに上方となっている。
【００３９】
所定水位までの給水が終わると、洗い行程において、モータ９が駆動し、攪拌翼６が回転して、攪拌が始まる。
【００４０】
攪拌翼６が回転すると、上記給水行程よりも高い水位まで給水されているので、裏羽根２６により、攪拌翼６の下部空間部の洗濯液が、入水口２７から循環水路２８内へ送水され、内槽４内の上部に設けた散水口２９から、仕切り体２０上面にセットした衣類へと散水される。
【００４１】
一方、攪拌翼６の上部の洗濯液は、攪拌翼６の回転によって内槽４の中央から攪拌翼６の上面部を経由して外側へと強制的に送水されるため、洗濯液面の中央部に上方から下方に向けて水流が発生する。このとき、仕切り体２０の内面部２０ｂは網体で構成されているため、洗濯液の衣類通過が容易となる。
【００４２】
このようにして、仕切り体２０を利用することで、デリケート衣類を直接攪拌することなく、傷みを抑えながら汚れを除去することができる。
【００４３】
所定時間の洗い行程が終わると、すすぎ（１）行程では、排水弁３１を開いて内槽４内の水を排水ホース３０より排水すると同時に、排水弁３１と連動して動作する伝達機構部のクラッチ１２を脱水側に切り換えて、モータ９の動力を、Ｖベルト１１および脱水軸を介し内槽４に伝達して回転させ、衣類に遠心力を与えることにより、水分を衣類から分離することで行う。
【００４４】
そして、モータ９、クラッチ１２がＯＦＦになった後、給水にて所定の水位まで給水し、再度モータ９が駆動し、衣類から洗剤液を出すためのすすぎ攪拌が開始される。
【００４５】
すすぎ（２）行程、つまり最終すすぎ行程では、すすぎ（１）行程と同様に排水と脱水が行なわれ、その後、排水弁３１が閉じられ後に給水弁１７が動作して給水ホース１９への給水が開始され、注水部材（図示せず）等を介して内槽４に所定の水位まで給水され、すすぎ攪拌が始まる。
【００４６】
脱水行程では、すすぎ（２）行程終了後、排水弁３１を開いて内槽４内の水を排水ホース３０より排水すると同時に、排水弁３１と連動して動作する伝達機構部のクラッチ１２を脱水側に切り換えて、モータ９の動力を、脱水軸を介し内槽４に伝達して回転させ、衣類に遠心力を与えることにより、水分を衣類から分離することで行うことで、洗いから脱水までが終了する。この洗いから脱水に至る一連の行程は制御手段２５によって自動制御される。
【００４７】
以上のように、本実施の形態においては、デリケート衣類洗い専用の仕切り体２０は、その上面にデリケート衣類を載置して洗濯するデリケートコースにおいて、内槽４底面部から攪拌用突出部１３までの高さの１．５〜２．０倍の高さに設置するとともに、制御手段２５は、前記デリケートコースの給水行程において、内槽４底面部から攪拌用突出部１３までの高さの１〜１．５倍の高さの水位に給水して、所定時間だけモータ９を所定のオン−オフ反転時限で駆動して攪拌翼６を左右回転させた後、所定水位まで給水して洗い、すすぎ、脱水行程を運転する構成とすることにより、洗濯液を垂直方向へ掻き上げる水流を起こすことができるので、仕切り体２０の上面に載置しているデリケートな衣類に対す
る洗浄効果を向上させ、衣類の載置状態に影響されず洗いムラを低減することができる。
【産業上の利用可能性】
【００４８】
以上のように、本発明にかかる洗濯機は、仕切り体２０の上面に載置しているデリケートな衣類に対する洗浄効果を向上させ、洗いムラを低減することができるので、デリケート衣類洗い機能を有する他の洗濯機の用途に適用できる。
【符号の説明】
【００４９】
１  筐体
３  外槽
４  内槽
６  攪拌翼
９  モータ
１３  攪拌用突出部
１７  給水弁
２０  仕切り体
２２  入力設定手段
２３  表示手段
２４  操作表示部
２５  制御手段
２６  裏羽根
２７  入水口
２８  循環水路
２９  散水口
３２  水位検知手段
【図１】
2017012703.tif 000003
【図２】
2017012703.tif 000004
【図３】
2017012703.tif 000005
【図４】
2017012703.tif 000006
【図５】
2017012703.tif 000007